(57)【要約】【課題】  長期的に安定して薬液を気化させて空気中に拡散させる装置を提供する。【解決手段】  薬液を滴下する滴下手段２０と、滴下手段２０から滴下された薬液を受け取り、加熱することにより気化させる気化手段１０と、気化手段１０により気化された薬液の薬効成分を空気中に拡散させる拡散手段３０とを備える。気化手段１０は、上部に薬液受取部１３を有する加熱体１２を備え、薬液受取部１３内に加熱補助媒体１７が所定量充填される。滴下手段２０は、加熱体１２の上方に配置される滴下ノズル２１を有する。拡散手段３０は上昇気流を発生させるクロスフローファン３１を有し、このクロスフローファンは、滴下ノズル２１の上方で、かつ加熱体１２の中心を通る鉛直線からずれた位置に配置される。【選択図】        図４
2005342302.tif 000002
【特許請求の範囲】
【請求項１】
薬液を滴下する滴下手段と、該滴下手段から滴下された薬液を受け取り、加熱することにより気化させる気化手段とを備えた薬液気化拡散装置であって、前記気化手段の薬液受取部に、該薬液受取部の温度を所定の範囲内に保つための加熱補助媒体を設けたことを特徴とする薬液気化拡散装置。
【請求項２】
前記薬液受取部は内周面がテーパ面の凹部に形成され、該薬液受取部内に前記加熱補助媒体が設けられていることを特徴とする請求項１に記載の薬液気化拡散装置。
【請求項３】
前記加熱補助媒体は、熱保持力が高く、かつ薬液に対する耐食性の高い材料からなる球状体であることを特徴とする請求項１又は２の何れかに記載の薬液気化拡散装置。
【請求項４】
前記加熱補助媒体は、前記滴下手段から滴下される薬液が当たっても跳ね飛ばされない重量に設定されていることを特徴とする請求項１から３の何れかに記載の薬液気化拡散装置。
【請求項５】
前記気化手段は、上部に前記薬液受取部が設けられる加熱体と、該加熱体を加熱するヒータと、該ヒータの作動を制御するサーモスタットとからなることを特徴とする請求項１から４の何れかに記載の薬液気化拡散装置。
【請求項６】
前記サーモスタットにより前記ヒータの作動を制御することにより、前記加熱体の温度及び前記加熱補助媒体の温度を１３０℃〜１６５℃の範囲内に保つように構成したことを特徴とする請求項５に記載の薬液気化拡散装置。
【請求項７】
前記滴下手段は、前記加熱体の薬液受取部の上方に設けられる滴下ノズルと、内部に薬液が充填される薬液タンクと、該薬液タンクから前記滴下ノズルに薬液を供給するポンプとからなることを特徴とする請求項１から６の何れかに記載の薬液気化拡散装置。
【請求項８】
前記滴下ノズルと前記薬液受取部との間の距離を、前記薬液受取部で気化された薬液が前記滴下ノズルの周囲に付着して固化するのを回避できる値に設定したことを特徴とする請求項７に記載の薬液気化拡散装置。
【請求項９】
前記滴下ノズル及び前記加熱体は気化室内に収容され、該気化室の上部に前記加熱体の薬液受取部で気化された薬液を気化室外に拡散させる拡散手段が設けられていることを特徴とする請求項７又は８に記載の薬液気化拡散装置。
【請求項１０】
前記拡散手段はクロスフローファンであって、前記加熱体の薬液受取部を通る鉛直線からずれた位置に設けられていることを特徴とする請求項９に記載の薬液気化拡散装置。
【請求項１１】
前記薬液受取部は、外周面にネジ部が形成された薬液受取皿部と、前記ネジ部に螺合するネジ部が形成された皿装着部とから構成されていることを特徴とする請求項１から１０のいずれかに記載された薬液気化拡散装置。
【請求項１２】
前記薬液受取部には、前記加熱補助媒体を薬液受取部内に保持し、前記薬液が浸透可能な浸透保持部材が設けられていることを特徴とする請求項１から１１のいずれかに記載された薬液気化拡散装置。
【発明の詳細な説明】
【技術分野】
【０００１】
本発明は、薬液気化拡散装置に関し、特に、芳香剤、消臭剤、除菌剤、分解剤、解毒剤、忌避剤等の薬液を気化させて空気中に拡散させるための薬液気化拡散装置に関する。
【背景技術】
【０００２】
従来、室内に所望の香りを漂わせたり、室内の壁等に付着した煙草、ペット等の悪臭を除去したり、室内を消毒したり、室内に作用している特定化学薬剤を分解・解毒したり、特定の昆虫等を近づけないようにする等のために、芳香剤、消臭剤、除菌剤、分解・解毒剤、忌避剤等（以下、「薬液」という。）が使用されている。
【０００３】
そして、このような各種の薬液の薬効成分を室内等に付与するために、薬液を加熱体に付着させて加熱することにより気化させ、この状態で薬液の薬効成分を室内等に拡散させるように構成した薬液気化拡散装置が提案されている。
【０００４】
例えば、回転体に薬液を滴下し、回転体の回転により薬液を微粒化して回転体の周囲に配置された加熱体に付着させ、加熱体により加熱することにより薬液を気化させ、空気中に拡散させるように構成した薬液気化拡散装置（例えば、特許文献１参照。）が提案されている。
【０００５】
また、他の例として、段付きピラミッド型の加熱体に薬液を滴下し、加熱体により加熱することにより薬液を気化させ、空気中に拡散させるように構成した薬液気化拡散装置が提案されている（例えば、特許文献２参照。）。
【０００６】
さらに、他の例として、加熱体に薬液を滴下し、加熱体により加熱することにより薬液を気化させ、空気中に拡散させ、その後に加熱体の洗浄を目的として水を滴下させるように構成した薬液気化拡散装置が提案されている（例えば、特許文献３参照。）。
【特許文献１】特開平９−２０１４０７号公報
【特許文献２】特開平９−２９４８０５号公報
【特許文献３】特開平１０−１１８１７１号公報
【発明の開示】
【発明が解決しようとする課題】
【０００７】
ところで、上記のような構成の薬液気化拡散装置にあっては、薬液を霧吹き等により霧化して空気中に拡散させる方法に比べて、短時間で広い空間に効率良く薬液の薬効成分を拡散させることができる利点があるが、使用する薬液の種類によっては薬液の含有成分の一部が加熱体の表面に付着してしまうため、一定の気化条件を得るために定期的に付着物を除去する洗浄作業が必要となる。
【０００８】
また、気化された薬液は装置の内部よりも温度が高いため、それよりも温度の低い装置の内部や滴下ノズルの周囲に付着してしまい、この付着物が加熱体の下方に配置されているファンによる上昇気流の流れを乱し、気流の一部が装置の底部に回り込み、気化された薬液の一部がファンの表面にも付着してしまい、ファンの故障の原因となる。
【０００９】
本発明は、上記のような従来の問題に鑑みなされたものであって、気化した薬液の含有成分が加熱体の表面に付着するようなことがなく、また、気化した薬液の薬効成分が装置の内部や滴下ノズルの周囲に付着するようなこともなく、さらに、気化した薬液の薬効成分がファンに付着するようなこともなく、長期的に安定して薬液を気化させて空気中に拡散させることができる薬液気化拡散装置を提供することを目的とするものである。
【課題を解決するための手段】
【００１０】
上記のような課題を解決するために、本発明は、以下のような手段を採用している。
すなわち、請求項１に係る発明は、薬液を滴下する滴下手段と、該滴下手段から滴下された薬液を受け取り、加熱することにより気化させる気化手段とを備えた薬液気化拡散装置であって、前記気化手段の薬液受取部に、該薬液受取部の温度を所定の範囲内に保つための加熱補助媒体を設けたことを特徴とする。
本発明による薬液気化拡散装置によれば、滴下手段から滴下された薬液は、気化手段の薬液受取部で受け取られ、加熱補助媒体によって所定の温度範囲内に保たれている薬液受取部内で加熱されて気化され、気化された薬液の薬効成分が空気中に拡散されることになる。
【００１１】
請求項２に係る発明は、請求項１に記載の薬液気化拡散装置であって、前記薬液受取部は内周面がテーパ面の凹部に形成され、該薬液受取部内に前記加熱補助媒体が設けられていることを特徴とする。
本発明による薬液気化拡散装置によれば、薬液受取部内で加熱されて気化された薬液の薬効成分は、薬液受取部からスムーズに排出されて空気中に拡散されることになる。
【００１２】
請求項３に係る発明は、請求項１又は２の何れかに記載の薬液気化拡散装置であって、前記加熱補助媒体は、熱保持力が高く、かつ薬液に対する耐食性の高い材料からなる球状体であることを特徴とする。
本発明による薬液気化拡散装置によれば、滴下される薬液によって加熱補助媒体が腐食するようなことはなく、加熱補助媒体によって薬液受取部内が所定の温度範囲内に確実に保たれることになる。
【００１３】
請求項４に係る発明は、請求項１から３の何れかに記載の薬液気化拡散装置であって、前記加熱補助媒体は、前記滴下手段から滴下される薬液が当たっても跳ね飛ばされない重量に設定されていることを特徴とする。
本発明による薬液気化拡散装置によれば、薬液が当たる際の衝撃によって加熱補助媒体が跳ね飛ばされるようなことはなく、薬液受取部内において加熱補助媒体の機能を十分に発揮させることができる。
【００１４】
請求項５に係る発明は、請求項１から４の何れかに記載の薬液気化拡散装置であって、前記気化手段は、上部に前記薬液受取部が設けられる加熱体と、該加熱体を加熱するヒータと、該ヒータの作動を制御するサーモスタットとからなることを特徴とする。
本発明による薬液気化拡散装置によれば、ヒータの作動により加熱体が加熱されるとともに、薬液受取部内の加熱補助媒体も加熱され、これらの協働により薬液受取部内に滴下される薬液が加熱されて気化されることになる。この場合、サーモスタットによりヒータの作動が制御されることにより、加熱体及び加熱補助媒体の温度が所定の範囲内に保たれることになる。
【００１５】
請求項６に係る発明は、請求項５に記載の薬液気化拡散装置であって、前記サーモスタットにより前記ヒータの作動を制御することにより、前記加熱体の温度及び前記加熱補助媒体の温度を１３０℃〜１６５℃の範囲内に保つように構成したことを特徴とする。
本発明による薬液気化拡散装置によれば、加熱体及び加熱媒体の温度が１３０℃〜１６５℃の範囲内に保たれることになるので、薬液を短時間で気化させることができ、薬液の熱変化を防止できる。また、爆発的な蒸散が生じるのを防止でき、薬液の粒子が薬液受取部から飛び出して装置の内部を汚染するのを防止できる。
【００１６】
請求項７に係る発明は、請求項１から６の何れかに記載の薬液気化拡散装置であって、前記滴下手段は、前記加熱体の薬液受取部の上方に設けられる滴下ノズルと、内部に薬液が充填される薬液タンクと、該薬液タンクから前記滴下ノズルに薬液を供給するポンプとからなることを特徴とする。
本発明による薬液気化拡散装置によれば、ポンプを作動させることにより、薬液タンクから滴下ノズルに薬液が供給され、滴下ノズルからその下方に位置している薬液受取部に薬液が滴下されることになる。
【００１７】
請求項８に係る発明は、請求項７に記載の薬液気化拡散装置であって、前記滴下ノズルと前記薬液受取部との間の距離を、前記薬液受取部で気化された薬液が前記滴下ノズルの周囲に付着して固化するのを回避できる値に設定したことを特徴とする。
本発明による薬液気化拡散装置によれば、滴下ノズルから薬液受取部に薬液が滴下され、この薬液が加熱体と加熱補助媒体との協働により加熱されて気化しても、気化した薬液の薬効成分が滴下ノズルの周囲に付着して固化するようなことはない。
【００１８】
請求項９に係る発明は、請求項７又は８に記載の薬液気化拡散装置であって、前記滴下ノズル及び前記加熱体は気化室内に収容され、該気化室の上部に前記加熱体の薬液受取部で気化された薬液を気化室外に拡散させる拡散手段が設けられていることを特徴とする。
本発明による薬液気化拡散装置によれば、拡散手段の作動によって気化室内に上昇気流を発生させることにより、加熱体の薬液受取部で気化された薬液の薬効成分が上昇気流に乗って拡散口に導かれ、拡散口から外部に拡散されることになる。
【００１９】
請求項１０に係る発明は、請求項９に記載の薬液気化拡散装置であって、前記拡散手段はクロスフローファンであって、前記加熱体の薬液受取部を通る鉛直線からずれた位置に設けられていることを特徴とする。
本発明による薬液気化拡散装置によれば、拡散手段のクロスフローファンの作動により気化室内に上昇気流が発生し、この上昇気流に乗せられて薬液受取部で気化された薬液の薬効成分が拡散口に導かれ、拡散口から外部に拡散されることになる。この場合、クロスフローファンは薬液受取部を通る鉛直線からずれた位置に配置されているので、薬液受取部で気化された薬液の薬効成分が薬液受取部の上方に位置している滴下パイプの周囲に付着するようなことはない。
【００２０】
請求項１１に係る発明は、請求項１から１０の何れかに記載された薬液気化拡散装置であって、前記薬液受取部は、外周面にネジ部が形成された薬液受取皿部と、前記ネジ部に螺合するネジ部が形成された皿装着部とから構成されていることを特徴とする。
本発明に係る薬液気化拡散装置によれば、薬液受取皿部に形成されたネジ部と、皿装着部に形成されたネジ部とが螺合することにより、薬液受取皿部の外周面と皿装着部の内周面とが均等に接することとなり、皿装着部の熱が薬液受取皿部の全面に均等に伝導することとなる。さらに、薬液受取皿部は、皿装着部に螺合しているため、容易に薬液受取皿部を皿装着部から脱着可能となっている。
【００２１】
請求項１２に係る発明は、請求項１から１１の何れかに記載された薬液気化拡散装置であって、前記薬液受取部には、前記加熱補助媒体を薬液受取部内に保持し、前記薬液が浸透可能な浸透保持部材が設けられていることを特徴とする。
本発明に係る薬液気化拡散装置によれば、薬液は加熱補助媒体により気化され、薬液が気化する際おいても、加熱補助媒体は浸透保持部材により確実に薬液受取部内に保持される。
【発明の効果】
【００２２】
以上、説明したように、本発明による薬液気化拡散装置によれば、加熱補助媒体により薬液受取部の温度を所定の範囲内に保つことができるので、薬液受取部に滴下される液体を効率良く加熱して気化させ、拡散させることができる。また、薬液受取部で気化された薬液の薬効成分が滴下ノズルの周囲に付着して固化するようなことがないので、付着物を取り除く作業が不要となる。さらに、拡散手段のクロスフローファンは、薬液受取部の中心を通る鉛直線からずれた位置に配置されているので、クロスフローファンの作動により発生した上昇気流に乗せられた薬液の薬効成分が滴下ノズルの付着するのを防止でき、上昇気流を乱すことなく、効率良く薬液の薬効成分を拡散口に導き、拡散口から外部に拡散させることができる。
【発明を実施するための最良の形態】
【００２３】
以下、図面に示す本発明の実施の形態について説明する。
図１〜図６には、本発明による薬液気化拡散装置の第１の実施形態が示されていて、図１は薬液気化拡散装置の全体を示す概略斜視図、図２は図１のＡ方向から透視した説明図、図３は図１のＢ方向から透視した主要部の説明図、図４は図１のＢ方向から透視した説明図、図５は図１の加熱手段の斜視図、図６は加熱補助媒体の説明図である。
【００２４】
すなわち、この実施の形態に示す薬液気化拡散装置１は、室内に所望の香りを漂わせたり、室内の壁等に付着した煙草、ペット等の悪臭を除去したり、室内を消毒したり、室内に作用している特定化学薬剤を分解・解毒したり、特定の昆虫等を近づけないようにする等のために、室内等の空間に芳香剤、消臭剤、除菌剤、分解・解毒剤、忌避剤等（以下、「薬液」という。）を気化拡散させるものであって、図２〜図４に示すように、薬液を滴下する滴下手段２０と、滴下手段２０から滴下された薬液を受け取って気化させる気化手段１０と、気化手段１０によって気化された薬液を空気中に拡散させる拡散手段３０と、それらを収容するケーシング４０とを備えている。
【００２５】
ケーシング４０の内部には、筒状の隔壁４１によって他の部分から区画された気化室４２が設けられ、この気化室４２内の底部に気化手段１０が配置され、その垂直方向上方に滴下手段２０が配置され、その滴下手段２０の上方で、かつ気化手段１０の中心を通る鉛直線からずれた位置に拡散手段３０が配置されている。
【００２６】
気化手段１０は、図２〜図６に示すように、ケーシング４０の底部に基台１１を介して設けられる加熱体１２と、加熱体１２に設けられるヒータ１４と、加熱体１２に設けられるサーモスタット１５とから構成されている。
【００２７】
加熱体１２は、熱伝導性に優れる金属又はそれと同等の特性を有する材料から形成される矩形板状をなすものであって、上部中央部に薬液受取部１３が設けられ、この薬液受取部１３内に滴下手段２０から薬液が滴下される。
【００２８】
薬液受取部１３は、図５及び図６に示すように、内周面がテーパ面１８ａの円錐台形状空間である凹部１８に形成され、この薬液受取部１３内に後述する加熱補助媒体１７が設けられる。薬液受取部１３は、開口部の直径をａ、底部の直径をｂとしたときに、ａ＞ｂの条件を満たすように、各部の寸法が設定される。この場合、ａ：ｂ＝１：０．８を基本とするが、使用する薬液の種類等に応じてこの比率を適宜の値に変更しても良い。
【００２９】
ヒータ１４は、図５及び図６に示すように、加熱体１２の底部に埋設され、このヒータ１４の作動によって加熱体１２が所定の温度に加熱される。サーモスタット１５は、図５及び図６に示すように、加熱体１２の薬液受取部１３の底面に対応する側部にネジ１６によって取り付けられ、このサーモスタット１５によってヒータ１４の作動が制御され、加熱体１２及び薬液受取部１３内に充填される加熱補助媒体１７の温度が所定の範囲内に保持される。この実施の形態においては、加熱体１２及び加熱補助媒体１７の温度を１３０〜１６５℃範囲内に保持している。１３０℃よりも低い場合には、気化に時間がかかり、薬液の熱変化が起こる虞があるからであり、１６５℃よりも高い場合には、爆発的な蒸散が起こって薬液の粒子が薬液受取部１３から飛び出し、装置の内部を汚染する虞があるからである。
【００３０】
加熱補助媒体１７は、熱保持力が高く、薬液に対する耐食性に優れる金属、セラミックス等からなる球状体であって、薬液の滴下による急激な温度降下に耐え、薬液が気化するまで薬液受取部１３の内部を所定の温度帯に保つ役目を担っている。
【００３１】
加熱補助媒体１７を球状体としたのは、薬液受取部１３内に滴下された薬液を加熱補助媒体１７間の隙間内に微量の薬液として入り込ませることにより、薬液の気化速度を速めるためである。また、単に平滑な加熱面に薬液を滴下すると、薬液が玉になり、加熱面の上部を大きな蒸発音を立てながら激しく動き回り、気化時間も長くなるが、球状体間の隙間に微量の薬液を入り込ませることにより、一定の温度範囲内に保持されている加熱補助媒体１７によりそのような蒸発音の発生を抑えることができ、気化時間を短縮することができるからである。
【００３２】
加熱補助媒体１７は、滴下される薬液が強く当たっても飛び跳ねない重量を有する大きさに形成され、この実施の形態においては、直径が２ｍｍ〜５ｍｍ程度の大きさに形成されている。また、加熱補助媒体１７は、薬液受取部１３の少なくとも底部を覆うように、薬液受取部１３内に所定量充填されている。この実施の形態においては、薬液受取部１３の１／３の深さまで充填されている。充填量を１／３としたのは、それを超えると薬液を最大量滴下したときに、薬液受取部１３から加熱補助媒体１７が飛び出す虞があるからである。
【００３３】
加熱補助媒体１７は、交換可能に薬液受取部１３内に充填され、汚れたとき等の交換作業が容易である。薬液には気化しない成分を含む消臭剤等も存在するので、加熱補助媒体１７の交換は必須事項である。
【００３４】
加熱体１２の薬液受取部１３で受け取った薬液は、加熱体１２と加熱補助媒体１７との協働により加熱されて気化され、気化室４２内に充満される。気化された薬液は、後述する拡散手段３０の作動により気化室４２外に拡散される。
【００３５】
滴下手段２０は、図２〜図４に示すように、気化室４２内の加熱体１２の垂直方向上方に垂直に設けられる滴下ノズル２１と、気化室４２外に設置されるとともに、内部に薬液が所定量充填される薬液タンク２２と、薬液タンク２２内の薬液を滴下ノズル２１に供給するポンプ２３と、薬液タンク２２とポンプ２３との間、及び滴下ノズル２１とポンプ２３との間を接続する配管２４とを備えている。薬液タンク２２は、気化室４２外のケーシング４０内に設けても良いし、ケーシング４０外に設けても良い。ポンプ２３を作動させて薬液タンク２２内の薬液を滴下ノズル２１に導くことにより、滴下ノズル２１の先端から垂直方向下方の加熱体１２の薬液受取部１３に向けて薬液が滴下される。
【００３６】
滴下ノズル２１と加熱体１２の薬液受取部１３との間の距離は、薬液受取部１３で加熱されて気化された薬液の薬効成分が上昇する位置よりも長く設定する。両者の間隔をこのような距離を設定することにより、気化された薬液の薬効成分が滴下ノズル２１の周囲に付着して固化するのを防止できる。
【００３７】
気化室４２の上部には気化室４２内外を連通する拡散口４３が設けられ、下部には気化室４２内外を連通する空気の取入れ口４４が設けられている。気化室４２の上部の拡散口４３には拡散手段３０が設けられる。
【００３８】
拡散手段３０は、拡散口４３に回転可能に設けられるクロスフローファン３１を有し、このクロスフローファン３１の作動により気化室４２内に上昇気流が発生し、この上昇気流によって薬液受取部１３で気化された薬液の薬効成分が拡散口４３に導かれ、拡散口４３から気化室４２外に拡散される。
【００３９】
この場合、薬液受取部１３とクロスフローファン３１との間には設置物が存在していないので、気化室４２内で上昇気流が乱れるようなことはなく、薬液受取部１３で気化させた薬液の薬効成分と取入れ口４４から気化室４２内に取り入れた空気とを効率よく混合させて拡散口４３に導き、拡散口４３から気化室４２外に拡散させることができる。
【００４０】
クロスフローファン３１は、図３及び図４に示すように、加熱体１２の薬液受取部１３の中心を通る鉛直線からずれた位置に配置される。すなわち、クロスファーファン３１の回転中心と加熱体１２の薬液受取部１３の中心とを結んだ線と、加熱体１２の薬液受取部１３の中心を通る鉛直線とが所定の角度をなすように、クロスフローファン３１は気化室４２の上部に配置される。このような位置にクロスフローファン３１を配置することにより、薬液受取部１３で気化された薬液の薬効成分が薬液受取部１３の上方に位置している滴下ノズル２１に付着するのを効果的に防止できる。
【００４１】
図７は、この発明の第２の実施形態を示す図であり、図１から図６に示された構成と同一の構成については、同一符号を付してその説明を省略する。
図７に示されるように、薬液受取部１３は、薬液受取皿部１３Ａと、薬液受取皿部１３Ａが装着される皿装着部１３Ｂとから構成されている。
薬液受取皿部１３Ａは、上方が開口されており、下方に向うに従って漸次縮径するように円錐台形状に構成されている。また、薬液受取皿部１３Ａの外周面には、ネジ部５０が形成されている。
皿装着部１３Ｂは、加熱体１２の上面側に開口するように加熱体１２内に形成されており、下方に向うに従って漸次縮径するように、円錐台形状に構成されている。
また、皿装着部１３Ｂの内周面には、薬液受取皿部１３Ａに形成されたネジ部５０に対応するネジ部５１が形成されている。
このように構成された薬液受取皿部１３Ａに形成されたネジ部５０と、皿装着部１３Ｂに形成されたネジ部５１とが螺合することにより、薬液受取部１３が構成されている。
このように構成された薬液受取部１３の薬液受取皿部１３Ａ内には、加熱補助媒体１７が複数設けられている。また、この加熱補助媒体１７の上面側には、浸透保持部材１７Ａが設けられている。
浸透保持部材１７Ａは、滴下手段２０により滴下された薬液を下方に向けて浸透可能なように、多数の孔が形成されている。浸透保持部材１７Ａとしては、例えば、タワシ等から構成されている。
加熱補助媒体１７は、各加熱補助媒体１７同士の接触面積が増やし、加熱補助媒体１７が薬液受取部１３内にて均一に配列されるようにするため、径が小さいものが用いられている。
【００４２】
このように構成された薬液気化拡散装置において、ヒータ１４が薬液受取部１３を所定温度にまで加熱する。
この際、薬液受取皿部１３Ａの外周面と、加熱体１２に形成された皿装着部１３Ｂの内周面とは略全面が接着しているため、ヒータ１２により加熱された皿装着部１３Ｂの温度が良好に薬液受取皿部１３Ａの全面に熱伝導することとなる。
このため、薬液受取皿部１３Ａ内に設けられた複数の加熱補助媒体１７は、薬液受取皿部１３Ａの底部側から開口部側に亘って、均等に加熱されることとなる。
【００４３】
滴下手段２０が、薬液受取部１３に向けて薬液を滴下すると、まず、浸透保持部材１７Ａ上に滴下される。
浸透保持部材１７Ａ上に滴下された薬液は、浸透保持部材１７Ａに形成された複数の孔をつたって、下方に向けて浸透し加熱された加熱補助媒体１７にまで到る。そして、薬液は、加熱補助媒体１７により加熱され気化される。
薬液が気化される際、加熱補助媒体１７の上面側には、浸透保持部材１７Ａが設けられているため、薬液が激しく蒸発する場合においても、加熱補助媒体１７が薬液受取皿部１３Ａ内から飛び出すことが防止される。
【００４４】
このため、本実施形態に係る薬液気化拡散装置によれば、薬液受取皿部１３Ａ内や、加熱補助媒体１７が薬液に含まれる気化し難い成分により汚れた場合には、薬液受取皿部１３Ａを皿装着部１３Ｂから取り外すことができるため、容易に薬液受取皿部１３Ａを容易に交換することができ、薬液受取皿部１３Ａ及び加熱補助媒体１７の清掃を簡単に行うことができる。
さらに、加熱補助媒体１７の上面側には、浸透保持部材１７Ａが設けられているため、加熱補助媒体１７が薬液受取皿部１３Ａ内から飛び出すことが確実に防止することができる共に、薬液が薬液受取部１３Ａからこぼれることや、加熱補助媒体１７の熱を保持することができる。
なお、本実施形態においては、浸透保持部材１７Ａは、タワシにより構成されているが、これに限られない。すなわち、滴下された薬液を浸透させることができ、さらに、薬液の爆発的蒸散により加熱補助媒体１７が飛散すること防止することができる部材であればよく、金網等にあってもよい。
【００４５】
以上説明した第１及び第２の実施形態においては、薬液受取部１３の底面が例えば平坦なものとなっているが、この薬液受取部１３の底面をヒータ１４の外形に沿った形状とすることにより、薬液受取部１３を早く確実に所定の温度まで加熱することができるようにしてもよい。
例えば筒型のヒータ１４を用いた場合において、薬液受取部１３の底面が平坦なものとなっていると、ヒータ１４と薬液受取部１３とがほぼ一点で接触するような構成となるため、薬液受取部１３の加熱が遅くなり、薬液を滴下したときの温度低下が大きく出てしまうおそれがある。そこで、このような場合には、薬液受取部１３の底面をヒータ１４の外形に沿った半円形状にすることにより、これらの接触面積が大きくなって、薬液の滴下時の温度降下にも速やかに対応できる。
【図面の簡単な説明】
【００４６】
【図１】本発明による薬液気化拡散装置の第１の実施形態の全体を示した概略斜視図である。
【図２】図１のＡ方向から透視した説明図である。
【図３】図１のＢ方向から透視した主要部の説明図である。
【図４】図１のＢ方向から透視した説明図である。
【図５】図１の加熱手段の斜視図である。
【図６】図６は加熱補助媒体の説明図である。
【図７】本発明による薬液気化拡散装置の第２の実施形態の全体を示した概略斜視図である。
【符号の説明】
【００４７】
１  薬液気化拡散装置
１０  気化手段
１１  基台
１２  加熱体
１３  薬液受取部
１４  ヒータ
１５  サーモスタット
１６  ネジ
１７  加熱補助媒体
２０  滴下手段
２１  滴下ノズル
２２  薬液タンク
２３  ポンプ
２４  配管
３０  拡散手段
３１  クロスフローファン
４０  ケーシング
４１  隔壁
４２  気化室
４３  拡散口
４４  取入れ口
【図１】
2005342302.tif 000003
【図２】
2005342302.tif 000004
【図３】
2005342302.tif 000005
【図４】
2005342302.tif 000006
【図５】
2005342302.tif 000007
【図６】
2005342302.tif 000008
【図７】
2005342302.tif 000009